(57)【要約】【課題】装置本体の後面に表示部とバッテリー装着部を配置する技術を提供する。【解決手段】撮像装置としてのカムコーダ１は、複数のレンズ３を収容したレンズ鏡筒４と、制御基板を収容した装置本体５と、表示画面としてのLCD６を有する表示部７と、を備える。レンズ鏡筒４と装置本体５と表示部７が、レンズ鏡筒４の光軸方向Pに沿ってこの順に配置される。装置本体５は、レンズ鏡筒４と反対側の面としての後面５ａを有する。表示部７は、装置本体５の後面５ａを覆う第１の状態と、装置本体５の後面５ａを露出させる第２の状態と、を選択可能となるように、装置本体５に対して回転可能に取り付けられている。装置本体５の後面５ａには、バッテリー８を収容可能なバッテリー収容凹部９が形成されている。【選択図】図４
2014131220.tif 000002
【特許請求の範囲】
【請求項１】
複数のレンズを収容したレンズ鏡筒と、
制御基板を収容した装置本体と、
表示画面を有する表示部と、
を備え、
前記レンズ鏡筒と前記装置本体と前記表示部が、前記レンズ鏡筒の光軸方向に沿ってこの順に配置され、
前記装置本体は、前記レンズ鏡筒と反対側の面としての後面を有し、
前記表示部は、前記装置本体の前記後面を覆う第１の状態と、前記装置本体の前記後面を露出させる第２の状態と、を選択可能となるように、前記装置本体に対して回転可能に取り付けられており、
前記装置本体の前記後面には、バッテリーを収容可能なバッテリー収容凹部が形成されている、
撮像装置。
【請求項２】
請求項１に記載の撮像装置であって、
前記バッテリー収容凹部は、前記レンズ鏡筒から離れる方向に開口する、
撮像装置。
【請求項３】
請求項２に記載の撮像装置であって、
前記バッテリー収容凹部を閉塞する閉塞状態と、前記バッテリー収容凹部を開放する開放状態と、を選択可能となるように、前記装置本体に対して回転可能に取り付けられる蓋部を更に備えた、
撮像装置。
【請求項４】
請求項３に記載の撮像装置であって、
前記表示部の回転軸線と、前記蓋部の回転軸線と、は同軸上に配置されている、
撮像装置。
【請求項５】
請求項４に記載の撮像装置であって、
前記表示部の前記回転軸線及び前記蓋部の前記回転軸線に沿って配置されるシャフトを更に備え、
前記表示部は、前記シャフトに取り付けられる一対の表示部取付部を有し、
前記蓋部は、前記シャフトに取り付けられる蓋部取付部を有し、
前記シャフトの長手方向において、前記蓋部の前記蓋部取付部は、前記表示部の前記一対の表示部取付部の間に配置されている、
撮像装置。
【請求項６】
請求項１〜５の何れかに記載の撮像装置であって、
前記バッテリー収容凹部に収容されたバッテリーを前記バッテリー収容凹部から押し出すバッテリー押し出し機構を更に備える、
撮像装置。
【発明の詳細な説明】
【技術分野】
【０００１】
本発明は、撮像装置に関する。
【背景技術】
【０００２】
この種の技術として、特許文献１は、装置本体と、装置本体に開閉自在に連結された表示部と、を有する撮像装置を開示している。表示部の表示画面は、閉塞された状態において、装置本体の側面に対向した向きとなる。装置本体の後面には、凹状に形成されたバッテリー装着部が形成されている。
【先行技術文献】
【特許文献】
【０００３】
【特許文献１】特開2008-167202号公報
【発明の概要】
【発明が解決しようとする課題】
【０００４】
ところで、表示部の配置としては、特許文献１の構成に代えて、装置本体の後面に配置することが考えられる。しかし、この場合、表示部の配置とバッテリー装着部の配置が重複してしまう。
【０００５】
本発明の目的は、装置本体の後面に表示部とバッテリー装着部を配置する技術を提供することにある。
【課題を解決するための手段】
【０００６】
そこで、本発明は、複数のレンズを収容したレンズ鏡筒と、制御基板を収容した装置本体と、表示画面を有する表示部と、を備え、前記レンズ鏡筒と前記装置本体と前記表示部が、前記レンズ鏡筒の光軸方向に沿ってこの順に配置され、前記装置本体は、前記レンズ鏡筒と反対側の面としての後面を有し、前記表示部は、前記装置本体の前記後面を覆う第１の状態と、前記装置本体の前記後面を露出させる第２の状態と、を選択可能となるように、前記装置本体に対して回転可能に取り付けられており、前記装置本体の前記後面には、バッテリーを収容可能なバッテリー収容凹部が形成されている、撮像装置を提供する。
【発明の効果】
【０００７】
本発明によれば、装置本体の後面に、表示部とバッテリー収容凹部を配置することが可能となる。
【図面の簡単な説明】
【０００８】
【図１】図1は、カムコーダの斜視図である。
【図２】図2は、カムコーダの別の角度から見た斜視図である。
【図３】図3は、LCDを開いた状態を示す斜視図である。
【図４】図4は、バッテリーの蓋部を開いた状態を示す斜視図である。
【図５】図5は、バッテリーを取り出している途中を示す斜視図である。
【図６】図6は、バッテリーを取り出した状態を示す斜視図である。
【図７】図7は、バッテリーケースアッセンブリーの斜視図である。
【図８】図8は、LCDを開いた状態を示す斜視図である。
【図９】図9は、図８のA部拡大図である。
【図１０】図10は、蓋部を開いた状態を示す斜視図である。
【図１１】図11は、図１０のB部拡大図である。
【図１２】図12は、バッテリーケースアッセンブリーの別の角度から見た斜視図である。
【図１３】図13は、図１２のC部拡大図である。
【図１４】図14は、バッテリーケースアッセンブリーの更に別の角度から見た斜視図である。
【図１５】図15は、押し出しピンが押し込まれた状態を示す斜視図である。
【図１６】図16は、押し出しピンが押し込まれた状態を示す、別の角度から見た斜視図である。
【図１７】図17は、レンズ鏡筒のフードアタッチメントの斜視図である。
【図１８】図18は、レンズ鏡筒のフードアタッチメントの正面図である。
【図１９】図19は、レンズフードの斜視図である。
【図２０】図20は、レンズフードの正面図である。
【図２１】図21は、図２０のD部拡大図である。
【図２２】図22は、レンズ鏡筒のフードアタッチメントにレンズフードを取り付ける様子を示す正面図である。
【図２３】図23は、図２２のE部拡大図である。
【図２４】図24は、図２２のE部拡大図であって、レンズフードを搭載方向に回転させた状態を示す図である。
【図２５】図25は、図２２のE部拡大図であって、レンズフードをレンズ鏡筒のフードアタッチメントに取り付けた状態を示す図である。
【発明を実施するための形態】
【０００９】
以下、図１〜図６を参照して、撮像装置としてのカムコーダ１を概説する。
【００１０】
図１及び図２に示すように、カムコーダ１は、レンズフード２と、複数のレンズ３を収容したレンズ鏡筒４と、図示しない制御基板を収容した装置本体５と、表示画面としてのLCD６（Liquid Crystal Display）を有する表示部７と、を備えて構成されている。そして、レンズ鏡筒４と装置本体５、表示部７は、レンズ鏡筒４の光軸方向Pに沿ってこの順に配置されている。
【００１１】
光軸方向Pは、撮像方向と反撮像方向を含む。撮像方向は、光軸方向Pのうち、被写体を向く方向である。反撮像方向は、光軸方向Pのうち、撮像方向と反対の方向である。
【００１２】
図３に示すように、装置本体５は、レンズ鏡筒４と反対側の面としての後面５ａを有している。後面５ａは、光軸方向Pに対して直交する面である。後面５ａは、反撮像方向を向く面である。
【００１３】
表示部７は、図２に示すように装置本体５の後面５ａを覆う第１の状態と、図３に示すように装置本体５の後面５ａを露出させる第２の状態と、を選択可能となるように、装置本体５に対して略９０度、回転可能に取り付けられている。図２に示すように表示部７が第１の状態であるとき、表示部７のLCD６は反撮像方向を向いている。図３に示すように表示部７が第２の状態であるとき、表示部７のLCD６は下方向を向いている。
【００１４】
そして、図４〜図６に示すように、装置本体５の後面５ａには、バッテリー８を収容可能なバッテリー収容凹部９が形成されている。このバッテリー収容凹部９は、レンズ鏡筒４から離れる方向に開口する。バッテリー収容凹部９は、反撮像方向に開口する。
【００１５】
本実施形態においてカムコーダ１は、蓋部１０を更に備えている。蓋部１０は、図３に示すようにバッテリー収容凹部９を閉塞する閉塞状態と、図４〜図６に示すようにバッテリー収容凹部９を開放する開放状態と、を選択可能となるように、装置本体５に対して略９０度、回転可能に取り付けられている。
【００１６】
次に、図７〜図１１を参照して、装置本体５と表示部７、蓋部１０の相互関係について詳細に説明する。図７〜図１１には、装置本体５のうちバッテリー収容凹部９を構成するためのバッテリーケースアッセンブリー１１が示されている。図７には、表示部７の第１の状態を示し、図８〜図１１には、表示部７の第２の状態を示している。図８及び図９には、蓋部１０の閉塞状態を示し、図１０及び図１１には、蓋部１０の開放状態を示している。
【００１７】
図９及び図１１に示すように、本実施形態において、表示部７の回転軸線７ｒと、蓋部１０の回転軸線１０ｒと、は同軸上に配置されている。
【００１８】
具体的には、図８及び図９に示すように、装置本体５のバッテリーケースアッセンブリー１１には、シャフト１２が設けられている。シャフト１２は、表示部７の回転軸線７ｒ及び蓋部１０の回転軸線１０ｒに沿って配置されている。
【００１９】
図９に示すように、表示部７は、表示部本体１３と、一対の表示部取付部１４と、を備えて構成されている。各表示部取付部１４は、シャフト１２に取り付けられる部分である。各表示部取付部１４は、表示部本体１３をシャフト１２に連結するためのものである。各表示部取付部１４には、シャフト１２が貫通する貫通孔が形成されている。各表示部取付部１４の貫通孔にシャフト１２を貫通させることで、表示部本体１３は、シャフト１２を回転軸線として回転可能に、シャフト１２に取り付けられる。
【００２０】
同様に、蓋部１０は、蓋部本体１５と、一対の蓋部取付部１６と、を備えて構成されている。各蓋部取付部１６は、シャフト１２に取り付けられる部分である。各蓋部取付部１６は、蓋部本体１５をシャフト１２に連結するためのものである。各蓋部取付部１６には、シャフト１２が貫通する貫通孔が形成されている。各蓋部取付部１６の貫通孔にシャフト１２を貫通させることで、蓋部本体１５は、シャフト１２を回転軸線として回転可能に、シャフト１２に取り付けられる。
【００２１】
本実施形態では、シャフト１２の長手方向において、蓋部１０の一対の蓋部取付部１６は、表示部７の一対の表示部取付部１４の間に配置されている。
【００２２】
以上に、本実施形態のカムコーダ１を説明したが、カムコーダ１は、以下の特長を有している。
【００２３】
（１）撮像装置としてのカムコーダ１は、複数のレンズ３を収容したレンズ鏡筒４と、制御基板を収容した装置本体５と、表示画面としてのLCD６を有する表示部７と、を備える。レンズ鏡筒４と装置本体５と表示部７が、レンズ鏡筒４の光軸方向Pに沿ってこの順に配置される。装置本体５は、レンズ鏡筒４と反対側の面としての後面５ａを有する。表示部７は、装置本体５の後面５ａを覆う第１の状態と、装置本体５の後面５ａを露出させる第２の状態と、を選択可能となるように、装置本体５に対して回転可能に取り付けられている。装置本体５の後面５ａには、バッテリー８を収容可能なバッテリー収容凹部９が形成されている。以上の構成によれば、装置本体５の後面５ａに、表示部７とバッテリー収容凹部９を配置することが可能となる。
（２）また、バッテリー収容凹部９は、レンズ鏡筒４から離れる方向に開口する。
（３）また、カムコーダ１は、バッテリー収容凹部９を閉塞する閉塞状態と、バッテリー収容凹部９を開放する開放状態と、を選択可能となるように、装置本体５に対して回転可能に取り付けられる蓋部１０を更に備える。
（４）また、表示部７の回転軸線７ｒと、蓋部１０の回転軸線１０ｒと、は同軸上に配置されている。以上の構成によれば、カムコーダ１のコンパクト化に寄与する。
（５）また、カムコーダ１は、表示部７の回転軸線７ｒ及び蓋部１０の回転軸線１０ｒに沿って配置されるシャフト１２を更に備える。表示部７は、シャフト１２に取り付けられる一対の表示部取付部１４を有する。蓋部１０は、シャフト１２に取り付けられる一対の蓋部取付部１６を有する。シャフト１２の長手方向において、蓋部１０の一対の蓋部取付部１６は、表示部７の一対の表示部取付部１４の間に配置されている。なお、蓋部１０は、一対の蓋部取付部１６を有することに代えて、単一の蓋部取付部１６のみを有することとしてもよい。
【００２４】
次に、図１２〜図１６を参照して、バッテリーケースアッセンブリー１１について詳細に説明する。
【００２５】
図１２に示すように、本実施形態において、バッテリーケースアッセンブリー１１は、バッテリー収容凹部９を形成する箱体２０と、箱体２０のバッテリー収容凹部９に収容されたバッテリー８をバッテリー収容凹部９から押し出すバッテリー押し出し機構２１と、を備えて構成されている。
【００２６】
箱体２０は、奥板２０ａと、一対の側板２０ｂと、底板２０ｃと、天板２０ｄと、を有する。奥板２０ａは、光軸方向P（図１等を併せて参照）に対して直交する板である。一対の側板２０ｂは、バッテリー収容凹部９を左右方向で区画する。底板２０ｃ及び天板２０ｄは、バッテリー収容凹部９を上下方向で区画する。
【００２７】
図１３に示すように、底板２０ｃには、光軸方向Pに沿って延びるガイド２２と、光軸方向Pに沿って延びる一対のスリット２３と、が形成されている。
【００２８】
バッテリー押し出し機構２１は、箱体２０の底板２０ｃに配置されている。バッテリー押し出し機構２１は、箱体２０の底板２０ｃの外壁面に配置されている。バッテリー押し出し機構２１は、押し出しスライダ２５と、アーム２６と、コイルバネ２７と、によって構成されている。
【００２９】
押し出しスライダ２５は、ガイド２２によって光軸方向Pに往復移動可能に案内されるスライダ本体２８と、一対の押し出しピン２９と、によって構成されている。各押し出しピン２９は、底板２０ｃに形成されている各スリット２３を貫通して、図１４に示すように、バッテリー収容凹部９内に突出している。
【００３０】
アーム２６は、底板２０ｃに回転可能に支持される第１端部２６ａと、押し出しスライダ２５のスライダ本体２８に回転可能に支持される第２端部２６ｂと、を有する。
【００３１】
コイルバネ２７は、第１バネ端部２７ａと第２バネ端部２７ｂを有する。コイルバネ２７の第１バネ端部２７ａは、アーム２６の長手方向中途部２６ｃに固定されている。コイルバネ２７の第２バネ端部２７ｂは、底板２０ｃに固定されている。第２バネ端部２７ｂは、第１バネ端部２７ａよりも反撮像方向側に位置している。第２バネ端部２７ｂは、第１バネ端部２７ａよりも、バッテリー収容凹部９の開口方向側に位置している。以上の構成によれば、コイルバネ２７の存在により、押し出しスライダ２５は常時、バッテリー収容凹部９の開口方向側に引っ張られている状態となる。
【００３２】
図１３及び図１４に示す状態で、バッテリー収容凹部９内にバッテリー８（図４及び図５を併せて参照）を収容するには、バッテリー収容凹部９内にバッテリー８を挿入し、バッテリー８を若干左にスライドさせることでバッテリー８を箱体２０に形成されている複数のロック爪３０（図１４参照）に引っ掛ける。すると、図１４に示す一対の押し出しピン２９は、図１５に示すように、バッテリー８によって強制的にバッテリー収容凹部９から退避させられる。即ち、図１６に示すように、押し出しスライダ２５は、バッテリー収容凹部９の開口方向と反対の方向に強制的に変位する。
【００３３】
反対に、バッテリー収容凹部９内に収容されたバッテリー８をバッテリー収容凹部９から取り出すには、バッテリー収容凹部９内に収容された状態のバッテリー８を若干右にスライドさせることでバッテリー８を複数のロック爪３０から外す。すると、図１６に示すコイルバネ２７の存在により、一対の押し出しピン２９は、バッテリー収容凹部９の開口方向側に変位し、もって、バッテリー８がバッテリー収容凹部９の開口方向へ変位する。
【００３４】
ここで、バッテリー収容凹部９からバッテリー８を取り出すには、バッテリー８がバッテリー収容凹部９の開口方向へ大きく変位することが好ましい。なぜなら、バッテリー８がバッテリー収容凹部９の開口方向へ大きく変位すると、最終的にバッテリー８をバッテリー収容凹部９から引き出す際に、バッテリー８を指で摘み易いからである。従って、図１３及び図１６に示す押し出しスライダ２５の光軸方向Pにおけるスライドストロークは、可及的に大きく確保することが好ましい。しかしながら、スライドストロークを大きく確保しようとすると、コイルバネ２７の伸びも大きく確保しなければならない。コイルバネ２７の伸びを大きく確保しようとすると、コイルバネ２７の選択の自由度が極端に低下する。
【００３５】
このような事情に対し、本実施形態では、コイルバネ２７の第１バネ端部２７ａがアーム２６の長手方向中途部２６ｃに連結されているので、コイルバネ２７の伸びは、押し出しスライダ２５のスライドストロークの略半分となる。従って、押し出しスライダ２５のスライドストロークを大きく確保しようとしても、コイルバネ２７の伸びはそれほど大きく確保しなくてもよく、結果として、コイルバネ２７の選択の自由度が高い。
【００３６】
つまり、バッテリー押し出し機構２１（バッテリー押し出し手段）は、バッテリー収容凹部９内に突出すると共に光軸方向Pに沿って往復移動可能な押し出しピン２９と、箱体２０と押し出しピン２９を連結するアーム２６と、アーム２６の長手方向中途部２６ｃと箱体２０に連結されるコイルバネ２７と、によって構成されている。以上の構成によれば、バッテリー８をバッテリー収容凹部９から取り出すために必要となる押し出しピン２９のスライドストロークを確保するに際し、コイルバネ２７の伸びの最大値が低く抑えられるので、コイルバネ２７の選択の自由度が高い。
【００３７】
次に、図１７〜図２５を参照して、レンズフード２とレンズ鏡筒４の着脱について説明する。
【００３８】
図１７には、レンズ鏡筒４のフードアタッチメント４０を示している。フードアタッチメント４０は、筒状に形成されている。フードアタッチメント４０は、嵌合先端面４１、嵌合外周面４２、複数のロック爪部として第１ロック爪部４３及び第２ロック爪部４４、第３ロック爪部４５、干渉部４６を有している。
【００３９】
図１７及び図１８に示すように、嵌合先端面４１は、光軸方向Pに対して直交する面である。嵌合先端面４１は、撮像方向を向く。
【００４０】
嵌合外周面４２は、嵌合先端面４１の内周縁に接続する外周面である。
【００４１】
第１ロック爪部４３及び第２ロック爪部４４、第３ロック爪部４５は、嵌合外周面４２から外周方向へ突出して形成されている。第１ロック爪部４３及び第２ロック爪部４４、第３ロック爪部４５は、周方向に等間隔に配置されている。第１ロック爪部４３及び第２ロック爪部４４、第３ロック爪部４５は、嵌合先端面４１から撮像方向に若干離れて形成されている。
【００４２】
干渉部４６は、周方向において第１ロック爪部４３と第２ロック爪部４４の間に形成されている。干渉部４６は、嵌合先端面４１から撮像方向に突出し、嵌合外周面４２から外周方向に突出して形成されている。
【００４３】
図１９に示すように、レンズフード２は、フード部５０と、取り付け部５１と、によって構成されている。取り付け部５１は、フード部５０の反撮像方向側の端部に環状に形成されている。
【００４４】
図２０に示すように、取り付け部５１は、環状のベース部５２と、複数のロック部としての第１ロック部５３及び第２ロック部５４、第３ロック部５５を備えて構成されている。第１ロック部５３及び第２ロック部５４、第３ロック部５５は、ベース部５２の内周側に配置されている。第１ロック部５３及び第２ロック部５４、第３ロック部５５は、周方向において等間隔に配置されている。
【００４５】
第１ロック部５３は、位置決め突起部６０と弾性ロック爪部６１によって構成されている。同様に、第２ロック部５４は、位置決め突起部６０と弾性ロック爪部６１によって構成されている。同様に、第３ロック部５５は、位置決め突起部６０と弾性ロック爪部６１によって構成されている。
【００４６】
位置決め突起部６０は、ベース部５２の内周面から内周方向に向かって突出して形成されている。弾性ロック爪部６１は、ベース部５２の内周面から内周方向に向かって突出して形成されている。位置決め突起部６０と弾性ロック爪部６１は、周方向で若干離れて配置されている。ここで、レンズフード２をレンズ鏡筒４のフードアタッチメント４０に取り付ける際にレンズフード２を回転させる方向として搭載方向Qを定義する。弾性ロック爪部６１は、位置決め突起部６０から見て、搭載方向Q側に離れて配置されている。弾性ロック爪部６１は、径方向に弾性変位可能に構成されている。弾性ロック爪部６１は、外周方向へ弾性的に退避可能に構成されている。
【００４７】
次に、第１ロック部５３の位置決め突起部６０について詳しく説明する。本実施形態において、第２ロック部５４及び第３ロック部５５の位置決め突起部６０の突出高さHは、周方向において一定である。これに対し、図２１に示すように、第１ロック部５３の位置決め突起部６０の突出高さは、周方向において一定ではない。即ち、第１ロック部５３の位置決め突起部６０は、第１位置決め突起部６２と、第２位置決め突起部６３と、によって構成されている。第１位置決め突起部６２の突出高さH1は、第２位置決め突起部６３の突出高さH2よりも大きい。第１位置決め突起部６２は、第２位置決め突起部６３から見て、搭載方向Q側に隣接して配置されている。
【００４８】
以上の構成で、レンズフード２をレンズ鏡筒４のフードアタッチメント４０に取り付けるには、図２２に示すように、光軸方向Pで見て、周方向において第１ロック部５３が第１ロック爪部４３と第２ロック爪部４４の間に位置するように位置決めした上で、レンズフード２の第１ロック部５３及び第２ロック部５４、第３ロック部５５をレンズ鏡筒４のフードアタッチメント４０の嵌合先端面４１（図１７参照）に押し付ける。このとき、図２３に示すように、第１ロック部５３の位置決め突起部６０は、干渉部４６と物理的に干渉する部分において切り抜かれている。従って、何ら問題なく、周方向において第１ロック部５３が第１ロック爪部４３と第２ロック爪部４４の間に位置するように位置決めした上で、レンズフード２の第１ロック部５３及び第２ロック部５４、第３ロック部５５をレンズ鏡筒４のフードアタッチメント４０の嵌合先端面４１（図１７参照）に押し付けることができる。この状態で、図２４及び図２５に示すように、レンズフード２を搭載方向Qに回転させれば、第１ロック部５３が嵌合先端面４１と第２ロック爪部４４の間に挿入され、弾性ロック爪部６１の弾性的な作用により、レンズフード２がレンズ鏡筒４のフードアタッチメント４０に固定される。
【００４９】
また、レンズフード２をレンズ鏡筒４のフードアタッチメント４０から取り外すには、レンズフード２を搭載方向Qと反対の方向に回転させればよい。すると、図２３に示すように、第１ロック部５３が周方向において第１ロック爪部４３と第２ロック爪部４４の間に位置した時点で、第１ロック部５３の位置決め突起部６０の第１位置決め突起部６２（図２１参照）が干渉部４６に対して接触し、それ以上の回転が禁止される。この状態で、レンズフード２をレンズ鏡筒４から撮像方向に引き抜けばよい。
【００５０】
なお、周方向において第２ロック部５４が第１ロック爪部４３と第２ロック爪部４４の間に位置するように位置決めしたり、第３ロック部５５が第１ロック爪部４３と第２ロック爪部４４の間に位置するように位置決めしたりした場合は、レンズフード２の第１ロック部５３及び第２ロック部５４、第３ロック部５５をレンズ鏡筒４のフードアタッチメント４０の嵌合先端面４１（図１７参照）に押し付けるに際し、第２ロック部５４の位置決め突起部６０又は第３ロック部５５の位置決め突起部６０が干渉部４６と物理的に干渉してしまい、レンズフード２の第１ロック部５３及び第２ロック部５４、第３ロック部５５をレンズ鏡筒４のフードアタッチメント４０の嵌合先端面４１（図１７参照）に押し付けることができない。この場合、第１ロック部５３及び第２ロック部５４、第３ロック部５５が、嵌合先端面４１と、第１ロック爪部４３及び第２ロック爪部４４、第３ロック爪部４５の間に挿入されることはない。
【符号の説明】
【００５１】
１  カムコーダ
３  レンズ
４  レンズ鏡筒
５  装置本体
５ａ  後面
６  LCD
７  表示部
８  バッテリー
９  バッテリー収容凹部
P  光軸方向
【図１】
2014131220.tif 000003
【図２】
2014131220.tif 000004
【図３】
2014131220.tif 000005
【図４】
2014131220.tif 000006
【図５】
2014131220.tif 000007
【図６】
2014131220.tif 000008
【図７】
2014131220.tif 000009
【図８】
2014131220.tif 000010
【図９】
2014131220.tif 000011
【図１０】
2014131220.tif 000012
【図１１】
2014131220.tif 000013
【図１２】
2014131220.tif 000014
【図１３】
2014131220.tif 000015
【図１４】
2014131220.tif 000016
【図１５】
2014131220.tif 000017
【図１６】
2014131220.tif 000018
【図１７】
2014131220.tif 000019
【図１８】
2014131220.tif 000020
【図１９】
2014131220.tif 000021
【図２０】
2014131220.tif 000022
【図２１】
2014131220.tif 000023
【図２２】
2014131220.tif 000024
【図２３】
2014131220.tif 000025
【図２４】
2014131220.tif 000026
【図２５】
2014131220.tif 000027